【事件の表示】
　特願２００４−５３１６０１「移動通信デバイスのためのプロビジョニング情報を非揮発性メモリから選択する方法及びシステム」拒絶査定不服審判事件〔平成１６年　３月１１日国際公開、ＷＯ２００４／０２１５９０、平成１７年１２月　８日国内公表、特表２００５−５３７７１５〕について、次のとおり審決する。
【結　論】
　本件審判の請求は、成り立たない。
【理　由】
１　手続の経緯 ・本願発明
　本願は、２００３年８月２６日（パリ条約による優先権主張外国庁受理２００２年８月２７日、米国）を国際出願日とする出願であって、平成２１年６月２９日付けで拒絶査定がなされ、それに対し平成２１年１１月９日に審判請求がなされ、同時に手続補正がなされたもので、 その請求項１に係る発明は，平成２１年１１月９日付けの手続補正書の特許請求の範囲の請求項１に記載された次のとおりのものと認める。（以下「本願発明」という。） 
　
　「無線通信デバイスであって、
　少なくとも一つの通信プロセッサと、
　前記通信プロセッサにパーマネントにアクセス可能な少なくとも一つの非揮発性メモリと、
　前記通信プロセッサと操作上連動したリムーバブルユーザ識別モジュールから優先的にプロビジョニング情報を取得し、そうでない場合には前記非揮発性メモリからプロビジョニング情報を取得するように前記通信プロセッサによって実行可能なロジックと
を備えた無線通信デバイス。 」
　
２　引用刊行物記載の発明
　これに対して，原査定の拒絶の理由に引用された，本願の優先日前である平成１３年８月１０日に頒布された「特開２００１−２１７９２５号公報 」（以下「引用例」という。）には，図面とともに次の事項が記載されている。
　
　(ａ)　「【００２８】
【発明の実施の形態】（第１実施例）以下、本発明の第１実施例について図１乃至図５を参照して説明する。図３は、自動車電話装置１の電気的構成を示す機能ブロック図である。
自動車電話装置（カード式電話装置）１は、アンテナ２を介して他の電話装置との通信を行うための無線機３と、この無線機３に接続されているクレードル４と、このクレードル４に着脱自在に載置されているハンドセット５とから構成されている
【００２９】無線機３とクレードル４とは、ハンドセット５を介して通話音声の受話音声を伝送するための受話音声ラインＲＡ及び同送話音声を伝送するための送話音声ラインＴＡによって接続されており、また、無線機３とハンドセット５とは、各種制御用のシリアル信号を伝送するためのシリアル通信線ＳＬ１，ＳＬ２を介して接続されている。
【００３０】
ハンドセット５には
コントローラ（装置側制御手段）９が内蔵されている。そのコントローラ９は、内部に不揮発性の記憶手段たるＥＥＰＲＯＭ９ａを備えている
【００３１】また、クレードル４には、受話音声を増幅する受話用アンプ１０及び受話用アンプ１０によって増幅された受話音声を出力するスピーカ１１，通話者の音声が入力されるマイク１２及びマイク１２に入力された音声を増幅する送話用アンプ１３が内蔵されている。即ち、クレードル４にスピーカ１１及びマイク１２が内蔵されていることによって、車両の乗員による自動車電話装置１の所謂ハンズフリー通話が可能となるように構成されている。
【００３２】加えて、
クレードル４にはコネクタ１３が備えられており、そのコネクタ１３を介してカードリーダ（カードインターフェイス部）１４が着脱可能に構成されている。カードリーダ１４は、ＳＩＭカード（ＩＣカード）１５が接続されるもの
【００３３】ここで、図５は、自動車電話装置１を自動車１６に搭載した状態の一例を示すものである。例えば、クレードル４及びハンドセット５は、車室内の運転席と助手席との間に配置されており、アンテナ２及び無線機３は、自動車１６のリア部に配置されている。
【００３４】図４は、ＳＩＭカード１５の電気的構成を示す機能ブロック図である。
ＳＩＭカード１５は
ＥＥＰＲＯＭ（記憶手段）２１
を内蔵している。
書き換え可能な不揮発性メモリであるＥＥＰＲＯＭ２１には
アクセス認証番号（所謂、電話番号）
ＥＥＰＲＯＭ２１に記憶されているこれらの情報をまとめてＩＤ情報と称する
」（下線は当審で付与、以下同様。）
　
　(ｂ)　「【００３９】そして、
コントローラ９は、通話に先立って上記ＩＤ情報を無線機３を介して基地局側に送信する
【００４０】次に、本実施例の作用について図１及び図２をも参照して説明する。図１及び図２は、自動車電話装置１側のコントローラ９及びＳＩＭカード１５側のＣＰＵ１７の制御内容を示すフローチャートであり、主に本発明の要旨にかかる部分を示すものである。図１において、
コントローラ９は、先ず、ＳＩＭカード１５が、カードリーダ１４を介してコネクタ１３に接続されているか否かを判断する（ステップＡ１）
【００４１】上記判断は、例えば、コネクタ１３にカードリーダ１４が接続されており、且つ、そのカードリーダ１４にＳＩＭカード１５が接続されている場合には、コントローラ９側のポートにおいて何れかの入力ピンがハイレベルからロウレベルに変化するように構成しておき、コントローラ９がそのレベルを参照することで行うようにする。
【００４２】
ステップＡ１において、ＳＩＭカード１５が接続されていなければ（「ＮＯ」）、コントローラ９はステップＡ９に移行して、後述するようにステップＡ５においてセットされるＩＤフラグがセットされているか否かを判断する。
【００４３】以上のようにステップＡ１，Ａ９のループを回っている間に、
ＳＩＭカード１５が接続されると、コントローラ９はステップＡ１で「ＹＥＳ」と判断し、ステップＡ９と同様にＩＤフラグがセットされているか否かを判断し（ステップＡ２）、セットされていなければ（「ＮＯ」）ステップＡ３に移行する。そして、ＳＩＭカード１５にＩＤ情報を読み出すための制御コードを与えて、ＩＤ情報を読み出す
　
　(ｃ)　　「【００４７】コントローラ９は、ステップＡ６で“ＯＫコード”を送信すると、図示しないＲＡＭのフラグ格納領域に、
ＩＤ情報をＳＩＭカード１５より読み出したことを示す「ＩＤフラグ」をセットすると（ステップＡ７）、通常の処理を実行する（ステップＡ８）。ここで、通常の処理とは、必要に応じた通話の開始などの処理
　
　(ｄ)　　「【００４９】以降、自動車電話装置１のコントローラ９は、ステップＡ１においてＳＩＭカードが１５が接続されている（「ＹＥＳ」）・いない（「ＮＯ」）かかわらず、
ステップＡ２，Ａ９においてＩＤフラグがセットされているか否かを判断し、セットされている場合は何れも「ＹＥＳ」と判断してステップＡ１０に移行する。そして、ＥＥＰＲＯＭ９ａに記憶されているＩＤ情報データを読み出すとステップＡ８に移行
　
　この記載事項によると，引用例には，
「自動車電話装置１は、アンテナ２を介して他の電話装置との通信を行うための無線機３と、この無線機３に接続されているクレードル４と、このクレードル４に着脱自在に載置されているハンドセット５とから構成され、
ハンドセット５には、コントローラ９が内蔵され、そのコントローラ９は、内部に不揮発性の記憶手段たるＥＥＰＲＯＭ９ａを備えており、
また、クレードル４にはコネクタ１３が備えられており、そのコネクタ１３を介してカードリーダ（カードインターフェイス部）１４が着脱可能に構成され、カードリーダ１４は、ＳＩＭカード１５が接続され、ＳＩＭカード１５は、ＥＥＰＲＯＭ（記憶手段）２１を内蔵し、書き換え可能な不揮発性メモリであるＥＥＰＲＯＭ２１には例えば、アクセス認証番号（所謂、電話番号）などの情報（ＩＤ情報）が記憶されており、
　コントローラ９は、先ず、ＳＩＭカード１５が、カードリーダ１４を介してコネクタ１３に接続されているか否かを判断し（ステップＡ１）、
　ステップＡ１において、ＳＩＭカード１５が接続されていなければ（「ＮＯ」）、コントローラ９はステップＡ９に移行して、後述するようにステップＡ５においてセットされるＩＤフラグがセットされているか否かを判断し、
ＳＩＭカード１５が接続されると、コントローラ９はステップＡ１で「ＹＥＳ」と判断し、ステップＡ９と同様にＩＤフラグがセットされているか否かを判断し（ステップＡ２）、セットされていなければ（「ＮＯ」）ステップＡ３に移行し、そして、ＳＩＭカード１５にＩＤ情報を読み出すための制御コードを与えて、ＩＤ情報を読み出す、
ＩＤ情報をＳＩＭカード１５より読み出したことを示す「ＩＤフラグ」をセットすると（ステップＡ７）、通常の処理（通話の開始などの処理）を実行する（ステップＡ８）
なお、ステップＡ２，Ａ９においてＩＤフラグがセットされているか否かを判断し、セットされている場合は何れも「ＹＥＳ」と判断してステップＡ１０に移行し、そして、ＥＥＰＲＯＭ９ａに記憶されているＩＤ情報データを読み出すとステップＡ８に移行する、
自動車電話装置」
の発明（以下，「引用発明」という。）が記載されていると認められる。
　
３　対比
　本願発明と引用発明を対比すると，
（１）引用発明の「自動車電話装置」、「コントローラ」、「ＥＥＰＲＯＭ９ａ」、「ＳＩＭカード」、「ＩＤ情報」は、本願発明の「無線通信デバイス」、「通信プロセッサ」、「非揮発性メモリ」、「リムーバブルユーザ識別モジュール」、「プロビジョニング情報」に相当する。
（２）引用発明の「コントローラ」は「ＥＥＰＲＯＭ９ａ」にパーマネントにアクセス可能であることは、明らかである。
（３）引用発明の「プロセッサ」は、「ＳＩＭカード」の接続を検知しており、「プロセッサ」と「ＳＩＭカード」は、操作上連動している。
　
したがって、両者は以下の点で一致し、以下の点で相違する。
＜一致点＞
無線通信デバイスであって、
　少なくとも一つの通信プロセッサと、
　前記通信プロセッサにパーマネントにアクセス可能な少なくとも一つの非揮発性メモリと、
　前記通信プロセッサと操作上連動したリムーバブルユーザ識別モジュールからプロビジョニング情報を取得し、そうでない場合には前記非揮発性メモリからプロビジョニング情報を取得するように前記通信プロセッサによって実行可能なロジックと
を備えた無線通信デバイス。
　
＜相違点＞
　本願発明は、通信プロセッサと操作上連動したリムーバブルユーザ識別モジュールから
優先的に
　
４　当審の判断
　上記相違点について検討すると，上記記載（ｃ）よると「ＩＤフラグ情報」は、 「ＩＤ情報をＳＩＭカード１５より読み出したことを示す」ものであり、ＳＩＭカードから、既にＩＤ情報が読み出され、ＥＥＰＲＯＭ９aにＩＤ情報が前もって記憶されている場合は、ＳＩＭカードが接続されていても、再度ＳＩＭカードからＩＤ情報を読み込むことなしに，ＥＥＰＲＯＭ９ａに既に記憶されているＩＤ情報を利用して通話するための処理である。そして、「ＩＤフラグ情報」に関する当該処理を省略しても、再度ＳＩＭカードからＩＤ情報を読み出せば良く、全体の処理フローに大きな支障は生じないことは、当業者にとって明らかである。したがって、引用発明において、処理フローを単純化し、相違点に係る発明とすることに格別な点はない。
　
５　むすび
　したがって，本願発明は，引用例に記載された発明に基づいて当業者が容易に発明をすることができたものであるから，特許法２９条２項の規定により特許を受けることができない。
　よって，結論のとおり審決する。